【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】（a）配列番号：１または配列番号：１９で表わされるアミノ酸配列と同一もしくは実質的に同一のアミノ酸配列を含有する蛋白質もしくはその部分ペプチドまたはその塩および（b）該蛋白質またはその塩と特異的に結合する能力を有し、下式：
【化１】
2004089176.tif 000001
〔式中、Ｒ1は水素原子、置換基を有していてもよい炭化水素基またはアシルを、ｍは０または１を、Ｒ2は水素原子、置換基を有していてもよい炭化水素基、アシルまたは下式：
【化２】
2004089176.tif 000002
（式中、Ｒ6は水素原子、置換基を有していてもよいアルキルまたは置換基を有していてもよいシクロアルキルを、ｍは０または１を示す）で表される基を示す〕で表される化合物またはその塩であるリガンドを用いることを特徴とする、該蛋白質またはその塩と該リガンドとの結合性を変化させる化合物またはその塩のスクリーニング方法。
【請求項２】リガンドが、上記式中、Ｒ1が水素原子、置換基を有していてもよい炭化水素基またはアシルを、Ｒ2が水素原子を、ｍが０または１を示す化合物またはその塩である請求項１記載のスクリーニング方法。
【請求項３】Ｒ1がアシルである請求項２記載のスクリーニング方法。
【請求項４】Ｒ1がＣ1-30アルキル−カルボニルである請求項１記載のスクリーニング方法。
【請求項５】リガンドが、１−ステアロイル−ｓｎ−グリセロ−３−ホスホ−Ｌ−セリン、１−パルミトイル−ｓｎ−グリセロ−３−ホスホ−Ｌ−セリン、または１−オレオイル−ｓｎ−グリセロ−３−ホスホ−Ｌ−セリンである請求項１記載のスクリーニング方法。
【請求項６】配列番号：１で表わされるアミノ酸配列と実質的に同一のアミノ酸配列を含有する蛋白質が、配列番号：２２で表わされるアミノ酸配列を含有する蛋白質である請求項１記載のスクリーニング方法。
【請求項７】配列番号：１で表わされるアミノ酸配列からなる蛋白質またはその塩を用いる請求項１記載のスクリーニング方法。
【請求項８】配列番号：１９で表わされるアミノ酸配列からなる蛋白質またはその塩を用いる請求項１記載のスクリーニング方法。
【請求項９】（a）配列番号：１または配列番号：１９で表わされるアミノ酸配列と同一もしくは実質的に同一のアミノ酸配列を含有する蛋白質もしくはその部分ペプチドまたはその塩と特異的に結合する能力を有する該リガンドを、該蛋白質もしくはその部分ペプチドまたはその塩に接触させた場合と、（b）該リガンドおよび試験化合物を、該蛋白質もしくはその部分ペプチドまたはその塩に接触させた場合における、該リガンドの該蛋白質もしくはその部分ペプチドまたはその塩に対する結合量を測定し比較する、請求項１記載のスクリーニング方法。
【請求項１０】（a）配列番号：１または配列番号：１９で表わされるアミノ酸配列と同一もしくは実質的に同一のアミノ酸配列を含有する蛋白質もしくはその部分ペプチドまたはその塩と特異的に結合する能力を有する該リガンドを、該蛋白質もしくはその部分ペプチドまたはその塩を含有する細胞または該細胞の膜画分に接触させた場合と、（b）該リガンドおよび試験化合物を、該蛋白質もしくはその部分ペプチドまたはその塩を含有する細胞または該細胞の膜画分に接触させた場合における、該リガンドの該細胞または該膜画分に対する結合量を測定し比較する、請求項１記載のスクリーニング方法。
【請求項１１】配列番号：１または配列番号：１９で表わされるアミノ酸配列と同一もしくは実質的に同一のアミノ酸配列を含有する蛋白質もしくはその部分ペプチドまたはその塩が、該蛋白質もしくはその部分ペプチドまたはその塩をコードするＤＮＡを含有する形質転換体を培養することによって細胞膜上に発現した蛋白質もしくはその部分ペプチドまたはその塩である請求項９記載のスクリーニング方法。
【請求項１２】リガンドが、標識したリガンドである請求項９〜１１記載のスクリーニング方法。
【請求項１３】標識したリガンドが、１−［９，１０−3Ｈ2］−ステアロイル−ｓｎ−グリセロ−３−ホスホ−Ｌ−セリンである請求項１２記載のスクリーニング方法。
【請求項１４】（a）配列番号：１または配列番号：１９で表わされるアミノ酸配列と同一もしくは実質的に同一のアミノ酸配列を含有する蛋白質もしくはその部分ペプチドまたはその塩と特異的に結合する能力を有する該リガンドを、該蛋白質もしくはその部分ペプチドまたはその塩に接触させた場合と、（b）該リガンドおよび試験化合物を、該蛋白質もしくはその部分ペプチドまたはその塩に接触させた場合における、該蛋白質もしくはその部分ペプチドまたはその塩を介した細胞刺激活性を測定し、比較する、請求項１記載のスクリーニング方法。
【請求項１５】（a）配列番号：１または配列番号：１９で表わされるアミノ酸配列と同一もしくは実質的に同一のアミノ酸配列を含有する蛋白質もしくはその部分ペプチドまたはその塩と特異的に結合する能力を有する該リガンドを、該蛋白質もしくはその部分ペプチドまたはその塩を含有する細胞または該細胞の膜画分に接触させた場合と、（b）該リガンドおよび試験化合物を、該蛋白質もしくはその部分ペプチドまたはその塩を含有する細胞または該細胞の膜画分に接触させた場合における、該蛋白質もしくはその部分ペプチドまたはその塩を介した細胞刺激活性を測定し、比較する、請求項１記載のスクリーニング方法。
【請求項１６】配列番号：１または配列番号：１９で表わされるアミノ酸配列と同一もしくは実質的に同一のアミノ酸配列を含有する蛋白質もしくはその部分ペプチドまたはその塩が、該蛋白質もしくはその部分ペプチドまたはその塩をコードするＤＮＡを含有する形質転換体を培養することによって細胞膜上に発現した蛋白質もしくはその部分ペプチドまたはその塩である請求項１４記載のスクリーニング方法。
【請求項１７】（a）配列番号：１または配列番号：１９で表わされるアミノ酸配列と同一もしくは実質的に同一のアミノ酸配列を含有する蛋白質またはその塩および（b）該蛋白質またはその塩と特異的に結合する能力を有し、下式：
【化３】
2004089176.tif 000003
〔式中、Ｒ1は水素原子、置換基を有していてもよい炭化水素基またはアシルを、ｍは０または１を、Ｒ2は水素原子、置換基を有していてもよい炭化水素基、アシルまたは下式：
【化４】
2004089176.tif 000004
（式中、Ｒ6は水素原子、置換基を有していてもよいアルキルまたは置換基を有していてもよいシクロアルキルを、ｍは０または１を示す）で表される基を示す〕で表される化合物またはその塩であるリガンドを含有することを特徴とする、該蛋白質またはその塩と該リガンドとの結合性を変化させる化合物またはその塩のスクリーニング用キット。
【請求項１８】リガンドが、上記式中、Ｒ1が水素原子、置換基を有していてもよい炭化水素基またはアシルを、Ｒ2が水素原子を、ｍが０または１を示す化合物である請求項１７記載のスクリーニング用キット。
【請求項１９】配列番号：１または配列番号：１９で表わされるアミノ酸配列と同一もしくは実質的に同一のアミノ酸配列を含有する蛋白質もしくはその部分ペプチドまたはその塩の活性を阻害する化合物またはその塩を含有してなる免疫疾患の予防・治療剤。
【請求項２０】配列番号：１または配列番号：１９で表わされるアミノ酸配列と同一もしくは実質的に同一のアミノ酸配列を含有する蛋白質もしくはその部分ペプチドまたはその塩の活性を促進する化合物またはその塩を含有してなる神経変性疾患の予防・治療剤。
【請求項２１】配列番号：１または配列番号：１９で表わされるアミノ酸配列と同一もしくは実質的に同一のアミノ酸配列を含有する蛋白質もしくはその部分ペプチドまたはその塩に対する抗体を含有してなる免疫疾患または炎症性疾患の予防・治療剤。
【請求項２２】配列番号：１または配列番号：１９で表わされるアミノ酸配列と同一もしくは実質的に同一のアミノ酸配列を含有する蛋白質もしくはその部分ペプチドまたはその塩をコードするポリヌクレオチドに相補的または実質的に相補的な塩基配列またはその一部を含有するポリヌクレオチドを含有してなる免疫疾患または炎症性疾患の予防・治療剤。
【請求項２３】配列番号：１または配列番号：１９で表わされるアミノ酸配列と同一もしくは実質的に同一のアミノ酸配列を含有する蛋白質またはその塩と特異的に結合する能力を有するリガンド。
【請求項２４】配列番号：１９で表わされるアミノ酸配列と同一もしくは実質的に同一のアミノ酸配列を含有する蛋白質またはその塩。
【請求項２５】配列番号：１９で表わされるアミノ酸配列からなる蛋白質またはその塩。
【請求項２６】請求項２４記載の蛋白質の部分ペプチドまたはその塩。
【請求項２７】請求項２４記載の蛋白質またはその部分ペプチドをコードするポリヌクレオチドを含有するポリヌクレオチド。
【請求項２８】ＤＮＡである請求項２７記載のポリヌクレオチド。
【請求項２９】配列番号：２０で表される塩基配列からなるポリヌクレオチド。
【請求項３０】請求項２７記載のポリヌクレオチドを含有する組換えベクター。
【請求項３１】請求項３０記載の組換えベクターで形質転換された形質転換体。
【請求項３２】請求項３１記載の形質転換体を培養し、請求項２４記載の蛋白質またはその部分ペプチドを生成・蓄積せしめることを特徴とする請求項２４記載の蛋白質またはその部分ペプチドまたはその塩の製造法。
【請求項３３】請求項２４記載の蛋白質またはその部分ペプチドまたはその塩を含有してなる医薬。
【請求項３４】請求項２７記載のポリヌクレオチドを含有してなる医薬。
【請求項３５】請求項２７記載のポリヌクレオチドを含有してなる診断薬。
【請求項３６】請求項２４記載の蛋白質またはその部分ペプチドまたはその塩に対する抗体。
【請求項３７】請求項３６記載の抗体を含有してなる医薬。
【請求項３８】請求項３６記載の抗体を含有してなる診断薬。
【請求項３９】請求項２７記載のポリヌクレオチドに相補的または実質的に相補的な塩基配列またはその一部を含有するポリヌクレオチド。
【請求項４０】ＤＮＡである請求項３９記載のポリヌクレオチド。
【請求項４１】請求項３９記載のポリヌクレオチドを含有してなる医薬。
【請求項４２】請求項２７記載のポリヌクレオチドまたはその一部を用いることを特徴とする請求項２４記載の蛋白質のｍＲＮＡの定量方法。
【請求項４３】請求項３６記載の抗体を用いることを特徴とする請求項２４記載の蛋白質の定量方法。
【請求項４４】請求項４３記載の定量方法を用いることを特徴とする請求項２４記載の蛋白質の機能が関連する疾患の診断方法。
【請求項４５】請求項２４記載の蛋白質またはその部分ペプチドまたはその塩を用いることを特徴とする請求項２４記載の蛋白質またはその塩に対するリガンドの決定方法。
【請求項４６】外来性の請求項２８記載のポリヌクレオチドまたはその変異ＤＮＡを有するトランスジェニック非ヒト哺乳動物。
【請求項４７】非ヒト動物がゲッ歯動物である請求項４６記載の動物。
【請求項４８】ゲッ歯動物がマウスまたはラットである請求項４７記載の動物。
【請求項４９】外来性の請求項２８記載のポリヌクレオチドまたはその変異ＤＮＡを含有し、非ヒト動物において発現しうる組換えベクター。
【請求項５０】請求項４６記載の動物を用いることを特徴とする請求項２８記載のポリヌクレオチドの欠損・損傷に起因する疾病に対して効果を有する化合物またはその塩のスクリーニング方法。